(57)【要約】【課題】人体の構造に合った足挿通用の開口（刳り）が形成されたショーツまたはパンツ等のニット衣類を提供する。【解決手段】足挿通用開口が形成されたニット衣類の足挿通用開口の形成開始箇所で、左右の足挿通用開口間に位置する部分と後側編地部と該後側編地部に連続し前側編地部の足挿通用開口の外側に位置する部分が引き返し編され、足挿通用開口の上端が足挿通用開口の中央部となるように最終コースのループが伏目処理され、後側編地部が股下部に向かい後側編地部の編成コース数が前側編地部より多くなるように前側編地部と接合する箇所まで縁部と並行して編成され、前側編地部の最終コースと後側編地部の最終コースが着用時に体の前面側となる位置で接合される。【選択図】図１
2004137636.tif 000002
【特許請求の範囲】
【請求項１】
左右方向に延び、対向する少なくとも前後一対の針ベッドを有し、前記針ベッドはそれぞれ多数の針を持ち、かつ前記針ベッドの少なくとも一方が左右にラッキング可能で、前記針ベッド間で編目の目移しが可能な横編機を用いて編成される足挿通用開口が形成されたニット衣類であって、
前側編地部と後側編地部を両端で連続する筒状の編地として股下側に向かって足挿通用開口の形成を開始する箇所まで編成され、
足挿通用開口の形成開始箇所では左右の足挿通用開口間に位置する部分が引き返し編により編成されるとともに、後側編地部と該後側編地部に連続し前側編地部の足挿通用開口の外側に位置する部分がＣ字状に引き返し編され、
足挿通用開口周縁の着用時に足挿通用開口の上縁となる部分に縁部が形成され、足挿通用開口の上端が足挿通用開口の中央部となるように最終コースのループが伏目処理され、
前側編地部の前記左右の足挿通用開口の間に位置する部分が引き返し編みにより股下部に向かい縁部と並行して後側編地部と接合する箇所まで編成され、
後側編地部が股下部に向かい後側編地部の編成コース数が前側編地部より多くなるように前側編地部と接合する箇所まで縁部と並行して編成され、
前側編地部の最終コースと後側編地部の最終コースが着用時に体の前面側となる位置で接合されていることを特徴とするニット衣類。
【発明の詳細な説明】
【０００１】
【発明の属する技術分野】
本発明は横編機を用いて編成されたニット衣類に関し、特に人体の構造に合った足挿通用の開口（刳り）が形成されたショーツまたはパンツ等のニット衣類に関する。
【０００２】
【従来の技術】
ニット衣類の一種としてニット製のショーツやパンツ等が販売されている。これらの製品を横編機で編成する過程で、穿口部分に伸縮性に優れたリブ編部を形成したり、足挿通用の開口の周縁にリブ編組織を形成することで、編成完了後、付属編地と呼ばれる別途編成した編地を横編機上での編成が完了した編地に縫いつける工程を不要にできる。このように、横編機上での編成完了後の後処理を軽減する目的で横編機上で最終製品の形状に近い形に編成したり、ポケットや衿を形成した編地は一般的にインテグラルガーメントと呼ばれる。インテグラルガーメントを編成する方法や、更に進んで縫製工程を不要にできる編地の編成方法が種々考案されている。
【０００３】
布帛製品において人体の構造に合った凹凸を形成しようとすると、複雑な形状での生地の裁断や、手間の掛かる縫合作業が必要となり製造コストが著しく増加するのに対し、ニット製品では横編機上で行う編目の増減により自由に凹凸を形成できる。このニットの利点を活かして布帛では手間がかかり過ぎて製品化が困難な凹凸を形成することも上記したインテグラルガーメントや無縫製編地を編成する技術を利用することで可能となる。このように、後処理を軽減できるという制作する側のメリットだけでなく、着心地の向上というユーザー側のメリットを引き出す方法として上記したインテグラルガーメントや無縫製編地は有効である。
【０００４】
上記したショーツやパンツ等の下着類は直接肌に触れる状態で着用するため、セーターやベストなどの外衣より更に体の形状に沿った形状であることが要求される。特に足挿通用の開口（刳り）の形状が体型に合っていないと弛んだり突っ張ったりして著しく着心地を損なう。
【０００５】
【発明が解決しようとする課題】
本発明は横編機上で編成されるニット衣類であって、人体の構造に合った足挿通用の開口（刳り）が形成され着心地に優れた商品価値の高いニット衣類を開示することを目的とする。
【０００６】
【課題を解決するための手段】
上記した問題を解決するため、本発明のニット衣類は、左右方向に延び、対向する少なくとも前後一対の針ベッドを有し、前記針ベッドはそれぞれ多数の針を持ち、かつ前記針ベッドの少なくとも一方が左右にラッキング可能で、前記針ベッド間で編目の目移しが可能な横編機を用いて編成される足挿通用開口が形成されたニット衣類であって、前側編地部と後側編地部を両端で連続する筒状の編地として股下側に向かって足挿通用開口の形成を開始する箇所まで編成され、足挿通用開口の形成開始箇所では左右の足挿通用開口間に位置する部分が引き返し編により編成されるとともに、後側編地部と該後側編地部に連続し前側編地部の足挿通用開口の外側に位置する部分がＣ字状に引き返し編され、足挿通用開口周縁の着用時に足挿通用開口の上縁となる部分に縁部が形成され、足挿通用開口の上端が足挿通用開口の中央部となるように最終コースのループが伏目処理され、前側編地部の前記左右の足挿通用開口の間に位置する部分が引き返し編みにより股下部に向かい縁部と並行して後側編地部と接合する箇所まで編成され、後側編地部が股下部に向かい後側編地部の編成コース数が前側編地部より多くなるように前側編地部と接合する箇所まで縁部と並行して編成され、前側編地部の最終コースと後側編地部の最終コースが着用時に体の前面側となる位置で接合されていることを特徴とする。上記した発明の構成によれば、前側編地部と後側編地部に形成される足挿通用の刳りの最も深い部分が足挿通用開口の中央部となり、人体の構造に合った足挿通用開口が形成され、着心地に優れた商品価値の高い製品となる。また、前側編地部と後側編地部の接合部を任意の位置に設定することが可能となり着心地に優れたニット衣類となる。
【０００７】
【発明の実施の形態】
本発明の第一実施例を以下図面とともに詳細に説明する。図１−ａは本実施例のショーツ１を示し、図１−ｂは図１−ａのショーツ１を下端から開始される編成方向に従って示した図である。図１の右下端の上向き矢印Ｘは編成方向を示す。図２は図１のショーツ１の編成工程を下から上に向かって時系列に示した図である。ショーツ１は穿口部２、前側編地部３、後側編地部４、足挿通用の左右開口５，６よりなる。前側編地部３は足挿通用開口５，６の形成開始後に引き返し編により形成される部分１６を含み、後側編地部４は、後側編地部４が股下部８を超えて体の前面側に回り込んだ部分７と、臀部１２を含む。本発明は少なくとも前後一対の針ベッドを有し、その何れか一方または双方の針ベッドがラッキング可能な横編機で実施可能である。以下の説明では前後一対の下部針ベッドのそれぞれの上方に上部針ベッドを備えた四枚ベッド横編機で編成する場合を説明する。
【０００８】
ショーツ１の編成方法を説明する。ショーツ１の編成は図２のＡ〜Ｄの四工程に分けられる。工程Ａは前側編地部３と後側編地部４を筒状に編成する工程である。工程Ｂは刳りの上縁となる部分を形成する工程である。工程Ｃは前側編地部３において足挿通用開口５，６の形成開始後に編成される部分１６を形成する工程である。工程Ｄは後側編地部４において足挿通用開口５，６の形成開始後に編成される部分７，１２を形成する工程である。
ショーツ１は穿口部２側から編成を開始する。穿口部２は伸縮性に優れたリブ編組織で編成される。横編機の前下部ベッドの針に着用時に体の前面側に現れる表側編地部３を、後下部ベッドの針に着用時に体の背面側に現れる後側編地部４を付属させて筒状の編地として編成する。付属させるとは前側編地部３を編成する際に後側編地部４のループを全て後下部針ベッド上の針に係止し、後側編地部４を編成する際に前側編地部３のループを全て前下部針ベッド上の針に係止させて編成することを意味する。二枚ベッド横編機で編成する場合には、例えば前後針ベッドの奇数番目の針に前側編地部３のループを割り当て、偶数番目の針に後側編地部４のループを割り当て、前側編地部３を編成する際に後側編地部のループを全て後針ベッド上の偶数番目の針に付属させ、後側編地部４を編成する際には前側編地部３のループを全て前針ベッド上の奇数番目の針に付属させて編成すればよい。このようにして編成を行うことで前側編地部３及び後側編地部４はそれぞれ対向する針ベッド上に空針を確保することが可能となり、リブ編組織等の前後両針ベッドを使用して編成する編組織の編成や編目の側方移しが可能となる。二枚ベッド横編機で筒状にリブ編組織を編成する方法は本願出願人の先の出願である特公平７−７５６５６号公報に詳細に説明されている。
【０００９】
足挿通用の開口（刳り）５，６の形成を開始する箇所まで編成すると、引き返し編みにより徐々に編幅を狭めつつ左右の足挿通用開口５，６の間となる部分１６を編成する。並行して左右の足挿通用開口５，６の外側に位置する部分１７，１８と後側編地部４に対し足挿通用開口５，６の周縁で給糸口の進行方向を反転させＣ字状に給糸口を走行させて編成し、足挿通用開口５，６の上縁を円弧状に形成する。続いて、着用時に足挿通用の開口の上縁１４，１５に縁部１０ａ，１１ａを形成する。本実施例では前側編地部３及び後側編地部４の外側の領域で新たに編出しを行い縁部１０，１１を形成する。この縁部１０，１１は前後に分岐し前側では１０ａ，１１ａ、後側では１０ｂ，１１ｂとなる。編出しに続いて縁部１０ａ，１１ａをリブ編組織で形成しつつ、適宜コース編成する毎に縁部１０ａ，１１ａを内側に移動させ、最内側のループを足挿通用開口５，６の上縁のループと重ねる編成を繰り返して縁部１０ａ，１１ａを形成するとともに足挿通用開口５，６の上縁のループを伏目処理する。縁部１０ａ，１１ａを円弧状に形成された足挿通用開口の上縁１４，１５に沿って形成することで、足挿通用開口５，６の刳りの最も深い部分１９，２０が足挿通用開口の中央部となり、人体の構造に合った足挿通用開口５，６が形成される。伏目処理方法については本願出願人の先の出願等により公知となっているため詳細な説明を省略する。
【００１０】
続いて前側編地部３において足挿通用開口５，６の形成開始後に形成される部分１６を引き返し編により徐々に編幅を狭めながら接合部１３に向けて編成する。この時、前側編地部３の両側端部には前記工程Ｂで足挿通用開口の上縁に形成した縁部１０ａ，１１ａが工程Ｃで前側編地部３と並行して形成される。前側編地部１６および縁部１０ａ，１１ａの編成が接合部１３まで完了した後、後側編地部４の編成へと移り、後側編地部４を引き返し編により臀部１２を形成しつつ接合部１３に向かって編成する。この時、工程Ｂで縁部１０ａ，１１ａから分岐した縁部１０ｂ，１１ｂを工程Ｄで臀部１２の両端部に臀部１２の編成と並行して形成する。足挿通用開口５，６の形成開始後、後側編地部４は前側編地部３よりも編成コース数が多くなるように編成を行う。したがって、後側編地部４の股下部８を越えて編成された部分７は着用時に体に前面側に現れる。後側編地部４は前側編地部３と接合される最終コースにおいて前側編地部３と同じ編幅となるように編目を減少させて編成する。後側編地部４の最終コースのループと、前側編地部３の最終コースのループを接合部１３で接合して伏目処理編成を行うことで解れ止めが施されショーツ１が完成する。前側編地部３と後側編地部４の編成コース数の比率を変えることで前側編地部３と後側編地部４の接合部１３の位置を調整できる。
【００１１】
上記したように本実施の形態のニット衣類は、前側編地部３と後側編地部４に形成される足挿通用の刳り５，６の最も深い部分１９，２０が足挿通用開口の中央部となり、人体の構造に合った足挿通用開口５，６が形成され、着心地に優れた商品価値の高い製品となる。また、上記した編成方法では前側編地部３と後側編地部４の接合部１３を任意の位置に設定することが可能となり着心地に優れたニット衣類となる。なお、上記した実施の形態ではショーツの場合を説明したが、水着やボディウエアを含め足挿通用開口が形成される製品であればよい。
【図面の簡単な説明】
【図１】図１−ａは本実施例のショーツを示した図であり、図１−ｂは図１−ａのショーツを編成方向（矢印Ｘ）に従って示した図である。
【図２】図２は図１のショーツ１の編成工程を時系列に下から上に向かって示した図である。
【符号の説明】
１…ショーツ、２…穿口部、３…前側編地部、４…後側編地部、５…足挿通用開口、６…足挿通用開口、８…股下部、１０ａ，１０ｂ…縁部、１１ａ，１１ｂ…縁部、１３…接合部
【図１】
2004137636.tif 000003
【図２】
2004137636.tif 000004